(57)【要約】【課題】リレーブロックの低背化を図る。【解決手段】上面部に複数の電気部品が装着され、該電気部品をバスバーあるいは圧着端子からなる導電材を介して電線に接続するようにしたリレーブロックにおいて、上記導電材の電線圧着部は上記電気部品と接続する端子部の側方に配置することで、電線圧着部がリレーブロックの高さ方向の寸法に影響しないようにしている。また、電線の取り出し方向を横方向にすることで、電線を横出しする際の屈曲部の影響によってリレーブロックの高さ寸法が増加しないようにしている。【選択図】　図１
2004040968.tif 000002
【特許請求の範囲】
【請求項１】
上面部にヒューズ、リレー等の複数の電気部品を装着可能な部品搭載部を備えると共に、該部品搭載部に対向する下面部に上記電気部品の各接続端子と接続可能な端子部を一端に有すると共に他端に電線圧着部を有する導電材を装着する装着部を備えたブロック本体と、上記部品搭載部に装着された前記電気部品と、上記装着部に装着された上記導電材と、該導電材の上記電線圧着部に圧着された電線とを有するリレーブロックにおいて、
上記導電材はバスバー或いは圧着端子からなり、該導電材の上記電線圧着部は上記端子部の側方に配置すると共に、上記ブロック本体の高さ範囲内で屈曲させるようにして延出した延出部の端部に設けていることを特徴とするリレーブロック。
【請求項２】
上記電線圧着部は電線の取り出し方向を横方向外方へ向けて配置している請求項１に記載のリレーブロック。
【請求項３】
上記電線圧着部は上記端子部の下端から延出した上記延出部を側方へＵ字状に折り返した折り返し端部に設けている請求項１に記載のリレーブロック。
【請求項４】
上面部にヒューズ、リレー等の複数の電気部品を装着可能な部品搭載部を備えると共に、該部品搭載部に対向する下面部に上記電気部品の各接続端子と接続可能な複数の端子部を一端に有すると共に他端に電線圧着部を有するバスバーを装着する装着部を備えたブロック本体と、上記部品搭載部に装着された前記電気部品と、上記装着部に装着された上記バスバーと、該バスバーの上記電線圧着部に圧着された電線とを有するリレーブロックにおいて、
上記バスバーの電線圧着部は上記各端子部間を連結する接続部の下端から下方へＬ字状に延出して上記接続部の下方に略平行に配置した延長部に、電線導入方向を横方向外方に向けて配置していることを特徴とするリレーブロック。
【請求項５】
上記電線圧着部は上記接続部の横方向の長さの範囲内に配置している請求項４に記載のリレーブロック。
【発明の詳細な説明】
【０００１】
【発明の属する技術分野】
本発明はリレーブロックに関し、詳しくはリレーブロックの低背化を図るものである。
【０００２】
【従来の技術】
従来自動車に搭載されるリレーブロックは、図５（Ａ）に示すように、ブロック本体１の上面部に複数のヒューズ２Ａが装着されると共に、下面部には装着されたヒューズ２Ａの各端子２ａと接続するための端子部３ａを備えたバスバー３が装着されている。このバスバー３の各端子部３ａ間は接続部３ｂにて横方向に連結されており、更に接続部３ｂの中央部にはワイヤハーネスの電線Ｗを接続するための電線圧着部３ｃが下方へ向けて突設され、この圧着部３ｃにワイヤハーネスの電線Ｗが接続されるている。
【０００３】
また、図５（Ｂ）に示すリレーブロックでは、ブロック本体１の上面部にリレー２Ｂが装着されると共に、下面部には、リレー２Ｂの端子と接続するための端子部を備えた圧着端子４が装着され、この圧着端子４にはワイヤハーネスの電線Ｗと接続するための電線圧着部４ｃが下方へ向けて突設され、この圧着部４ｃにワイヤハーネスの電線Ｗが接続されている。
【０００４】
【発明が解決しようとする課題】
従来のリレーブロックは、上記のようにバスバー３の電線圧着部３ｃ、或いは圧着端子４の電線圧着部４ｃが下方へ向けて突設され、その突出方向から電線Ｗが接続されるようになっているため、電線Ｗを横出しする場合は、電線Ｗを屈曲するためのスペースが更に必要となる。従って、ヒューズ２Ａ、リレー２Ｂの上端面から屈曲した電線Ｗまでの高さ寸法Ｈが大きくなりリレーブロック全体の高さ寸法への影響が大きかった。特に、電源入力回路や大電流回路を伴うリレーブロックでは、搭載されるヒューズ２Ａ、リレー２Ｂの高さ自体も高くなり、更に電線Ｗも太いものを使用するため、電線Ｗの屈曲半径がより大きくなり、電線Ｗの収容スペースを広く設定する必要があり、結果的に高さ寸法が著しく大きくなってしまうという問題があった。
【０００５】
本発明は上記問題に鑑みてなされたもので、ヒューズ、リレー等の電気部品に接続されるバスバーと電線の配置構造を工夫することでリレーブロック全体の低背化を可能とすることを課題としている。
【０００６】
【課題を解決するための手段】
上記課題を解決するため、本発明は、第１に、上面部にヒューズ、リレー等の複数の電気部品を装着可能な部品搭載部を備えると共に、該部品搭載部に対向する下面部に上記電気部品の各接続端子と接続可能な端子部を一端に有すると共に他端に電線圧着部を有する導電材を装着する装着部を備えたブロック本体と、上記部品搭載部に装着された前記電気部品と、上記装着部に装着された上記導電材と、該導電材の上記電線圧着部に圧着された電線とを有するリレーブロックにおいて、
上記導電材はバスバー或いは圧着端子からなり、該導電材の上記電線圧着部は上記端子部の側方に配置すると共に、上記ブロック本体の高さ範囲内で屈曲させるようにして延出した延出部の端部に設けていることを特徴とするリレーブロックを提供している。
【０００７】
上記構成によれば、バスバーあるいは／および圧着端子からなる導電材の電線圧着部が端子部の下方ではなく側方に配置され、上記ブロック本体の高さ範囲内で屈曲させるようにして延出した延出部に設けられているため、電線圧着部自体がリレーブロックの高さ方向の寸法を増大させる要因とならず、リレーブロックの低背化を図ることができる。
【０００８】
上記電線圧着部は電線の取り出し方向を横方向外方へ向けるようにして配置するようにしてもよい。このようにすれば、電線を屈曲させることなく電線圧着部に沿った状態でそのまま横出しすることができ、よって電線の屈曲に伴うスペースも不要となるので、リレーブロックの低背化を一層効果的にすることができる。
【０００９】
上記電線圧着部は上記端子部の下端から延出した上記延出部を側方へＵ字状に折り返した折り返し端部に設けるようにしてもよい。電線圧着部を接続部に対面する状態でＵ字状に折り返すことで、リレーブロック本体とこれに装着された電気部品に干渉することのない側方に配置できるので、リレーブロック本体と電気部品の高さ分の範囲内で電線圧着部および電線の屈曲スペースを充分に確保することができる。なお電線圧着部の収容部分を別体カセット式とすれば、バスバー又は圧着端子の組み付けに際し、生産性を向上することができる。
【００１０】
また、第２の発明では、電気部品と電線とを接続するためにブロック本体に装着する導電材としてバスバーを用い、該バスバーの電線圧着部は電気部品と接続する各端子部間を連結する接続部の下端から下方へＬ字状に延出し、該接続部の下方に略平行に配置した延長部を電線導入方向を横方向外方に向けるようにして配置している。
【００１１】
上記構成すれば、電線圧着部が接続部の下方に平行配置されたとしても、電線を屈曲させることなく横方向に取り出すことができるので、電線の屈曲部に要するスペース分の低背化を実現することができる。
【００１２】
上記電線圧着部は上記接続部の横方向の長さの範囲内に配置するのが好ましい。このように配置すれば、電線圧着部がリレーブロック本体から横方向にはみ出すことがなく、幅方向の大型化を防止できる。
【００１３】
なお、上記バスバーの端子部は、接続部と一体形成されるものであっても、別体の端子部を組み合わせるものであってもよい。また、電気部品の接続端子がバスバーの接続部に直接圧接される場合は、接続部が端子部を兼ねるものであってもよい。
【００１４】
【発明の実施の形態】
以下本発明の実施形態を図面を参照して説明する。
図１は本発明に係るリレーブロックの第１実施形態を示し、ブロック本体１１と、このブロック本体１１に搭載される電気部品であるヒューズ１２と電線Ｗとを接続する導電材としてバスバー１３を用いている。
【００１５】
なお、ブロック本体１１はリレーブロックの主要構成部材であり、リレーブロックはブロック本体１１の下部に取り付けられるロアケース（図示せず）と上部に取り付けられるアッパーケース（図示せず）を備えている。
【００１６】
ブロック本体１１の上面部１１ａには複数のヒューズ１２を所要位置に並列状態で装着可能な部品搭載部１４を設け、下面部１１ｂにはバスバー１３を装着するバスバー装着部１５を凹設している。
【００１７】
バスバー１３は各部品搭載部１４に装着されるヒューズ１２の接続端子１２ａの配列状態に対応する複数の端子部１３ａを一端に並列して設け、各端子部１３ａの基部は横方向に延びる接続部１３ｂで連結している。更に、接続部１３ｂの一端をブロック本体１１の高さ寸法の範囲内において、同一平面上で側方に逆Ｕ字状に屈曲した経路で延出される延出部１３ｃを設け、下面部１１ｂに向けて延出された延出部１３ｃの端部に電線圧着部１３ｄを設け、この電線圧着部１３ｄにワイヤハーネスを構成する所要の電線Ｗを圧着している。該電線圧着部１３ｄで圧着された電線Ｗは下方へ向かって取り出されると共に、横方向に屈曲して外部へ横出しされている。
【００１８】
バスバー１３の延出部１３ｃが設けられた部分に対応して、ブロック本体１１には横方向にカバー部１１ｃが延設され、このカバー部１１ｃの上面は、バスバー１３との接続が不要なスペアヒューズ、ヒューズプラー等の付属部品Ｐを固定する領域として利用することができる。
【００１９】
上記第１実施形態では、バスバー１３における電線圧着部１３ｄがブロック本体１１の高さ寸法の範囲内に位置するため、従来のリレーブロックに比し電線圧着部１３ｄがブロック本体１１から下方へ突出する分に相当する高さ寸法の低背化を図ることができる。
【００２０】
図２は第２実施形態を示し、バスバー２３の延出部２３ｃの端部に設けた電線圧着部２３ｄを横方向外方へ向けるようにして配置し、これにより電線圧着部２３ｄに圧着された電線Ｗを横方向に取り出し可能としている。
なお、その他の構成は第１実施形態と同様のため同一符号を付してその説明を省略する。
【００２１】
このように第２実施形態では電線Ｗがバスバー２３から直接横出しされるので、電線Ｗを屈曲して横出しする場合に比較して電線Ｗの屈曲範囲に相当する高さ寸法の低背化を図ることができる。
【００２２】
図３は第３実施形態を示し、バスバー３３の延出部３３ｃを接続部３３ｂの一端側の下端から下方へＬ字状に延出して、上記接続部３３ｂの下方に略平行に配置すると共に、この延出部３３ｃの端部に電線圧着部３３ｄを横方向に向けて配置している。また、電線圧着部３３ｄは接続部３３ｂの横方向の長さの範囲内に配置するようにしている。なお、その他の構成は第１実施形態と同様のため同一符号を付してその説明を省略する。
【００２３】
このように第３実施形態においては、電線圧着部３３ｄが接続部３３ｂの下方に横方向に向けて配置されているので、電線圧着部３３ｄに圧着された電線Ｗを屈曲することなく横出しすることができる。よって、ブロック本体１１の高さ寸法の低背化を図ることができる。また、電線圧着部３３ｄは接続部３３ｂの横方向の長さの範囲内にあるので、ブロック本体１１から電線圧着部３３が突出することがなく横方向の寸法が増加することもない。
なお、その他の構成は第１実施形態と同様のため同一符号を付してその説明を省略する。
【００２４】
図４は第４実施形態を示し、ブロック本体１１に搭載される電気部品のリレー１２０と電線Ｗを接続する導電材として圧着端子４３を用いている。該圧着端子４３はリレー１２０の接続端子１２０ａと接続する端子部４３ａの下端から延出部４３ｃを延出すると共に、端子部４３ａに対面するようにして側方へ向けて断面Ｕ字状に折り返し、この折り返し端部に電線Ｗを圧着する電線圧着部４３ｄを設けている。この電線圧着部４３ｄに圧着される電源側の電線Ｗは上方へ向けて取り出された後、横方向に折り曲げて外部へ導出するようにしている。
また、電線Ｗが接続される圧着端子４３を収容するキャビティ４０ａを備えたケース４０ｂをカセット式として、ブロック本体１１に装着可能とすれば組立工程の生産性向上を図ることができる。
【００２５】
このように、第４実施形態においては、特に、電源側に接続される太物の電線Ｗをブロック本体１１の高さ寸法の範囲内に配置できるため、電線Ｗの横出しによる屈曲部の影響でブロック本体１１全体の高さが増加するのを防止できる。
【００２６】
【発明の効果】
以上の説明より明らかなように、本発明のリレーブロックは、電気部品に接続されるバスバーあるいは圧着端子からなる導電材に設ける電線圧着部を、電気部品との接続部である端子部の側方に配置しているため、ブロック本体の高さ方向に電線圧着部が影響せず、よって全体の高さ寸法の低背化を図ることができる。
【００２７】
また、導電材としてバスバーを用い、該バスバーの電線圧着部を電気部品と接続する複数の端子部間を連結する接続部の下端から下方へＬ字状に延出して接続部の下方に略平行に配置した延長部に、電線導入方向を横方向外方に向けた配置とすると、電線圧着部に接続される電線を横方向に向けて直接取り出すことができる。よって、従来の構造のように電線を横出しするために要する電線の屈曲範囲によってリレーブロックの高さ寸法が大きくなるのを防止できる。
【図面の簡単な説明】
【図１】本発明のリレーブロックの第１実施形態の要部を示す断面図である。
【図２】第２実施形態の要部を示す断面図である。
【図３】第３実施形態の要部を示す断面図である。
【図４】第４実施形態の要部を示す断面図である。
【図５】（Ａ）（Ｂ）は従来例を示す断面図である。
【符号の説明】
１１　ブロック本体
１１ａ　上面部
１１ｂ　下面部
１２　　ヒューズ
１２０　リレー
１２ａ、１２０ａ　接続端子
１２ｂ　リレー
１３、２３、３３　バスバー
１３ａ、４３ａ　端子部
１３ｂ、３３ｂ　接続部
１３ｃ、２３ｃ、３３ｃ、４３ｃ　延出部
１３ｄ、２３ｄ、３３ｄ、４３ｄ　電線圧着部
１４　部品搭載部
１５　バスバー装着部
４３　　圧着端子
Ｗ　電線
【図１】
2004040968.tif 000003
【図２】
2004040968.tif 000004
【図３】
2004040968.tif 000005
【図４】
2004040968.tif 000006
【図５】
2004040968.tif 000007